(57)【要約】【課題】  入居者自身に危険を生じさせることなく、電源ブレーカを復旧させることを目的とする。【解決手段】  電源ブレーカ２が落ちて住戸への電気の供給が遮断されると、検知装置３がそれを検知して接点信号を出力する。接点信号を入力した住戸制御機４は、呼出信号を生成して管理室装置１０へ出力する。そして、呼出信号を入力した管理室装置１０は、電源ブレーカ２が落ちていることを報知している。これにより、住戸への電気の供給が電源ブレーカ２により遮断された場合に、管理室装置１０にてその旨が報知されるので、住戸を管理する管理人は、住戸への電気の供給が遮断されていることを把握することができる。【選択図】        図１
2009205650.tif 000002
【特許請求の範囲】
【請求項１】
高齢者が居住する住戸に設置され、前記住戸に電気を供給するための電線に流すことができる最大の電流値を示す許容電流値以上の電流が前記電線に流れた場合に前記住戸への電気の供給を遮断する電源ブレーカと、
前記電線に流れる電流を検知する検知装置と、
前記検知装置が前記電線に流れる電流を検知した否かを判定する制御機用判定部と、前記検知装置が前記電線に流れる電流を検知していないと制御機用判定部にて判断した場合に、管理人を呼び出すための呼出信号を生成して出力する制御機用制御部とを備えた住戸制御機と、
前記住戸への電気の供給が前記電源ブレーカにより遮断されていることを報知する報知部と、前記住戸制御機に接続されており、前記呼出信号を入力する入力部と、前記入力部が前記呼出信号を入力したか否かを判定する管理室用判定部と、前記入力部が前記呼出信号を入力したと前記管理室用判定部にて判断した場合に、前記報知部を動作させる管理室用制御部とを備えた管理室装置と、
を備えたことを特徴とする緊急通報システム。
【発明の詳細な説明】
【技術分野】
【０００１】
本発明は、高齢者などが居住する住宅の異常を検知して通報を発する緊急通報システムに関する。
【背景技術】
【０００２】
従来、核家族化などの進行により、高齢者のみが居住する住宅が増えている。また、このような高齢者が居住する住宅を集めて、管理人室などにより管理する集合住宅が知られている。
【０００３】
このような集合住宅において、各住戸に電気を供給するための電線に流すことができる最大の電流値（すなわち、許容電流値）が住戸毎に定められている。許容電流値以上の電流が電線に流れた場合や何らかの要因により異常な過電流が電線に流れた場合に、住戸への電気の供給を遮断する電源ブレーカが知られている。また、許容電流値よりも若干小さい可変警報開始設定電流値よりも住戸で消費される消費電流値が大きくなった場合に、電源ブレーカがその旨を予告警報として表示する技術が知られている（例えば、特許文献１など）。
【特許文献１】特開平７−３３６８７３号公報
【０００４】
特許文献１に記載の技術では、予告警報の表示を見た入居者が電気機器の使用を停止することにより電源ブレーカが落ちることを回避している。しかしながら、特許文献１に記載の技術では、予告警報を表示するものの、消費電流値が許容電流値を上回ると入居者が電気機器の使用を停止する前に電源ブレーカが落ちてしまうケースがあった。
【０００５】
また、特許文献１には、許容電流値よりも消費電流値が大きくなって電源ブレーカが落ちた場合に、電源ブレーカの位置などをランプ部の点灯により明示するので、入居者が電源ブレーカの位置などを容易に把握することができ、自力で電源ブレーカの復旧操作を行うことができるとの記載もある。
【０００６】
このように、電源ブレーカが落ちた場合、入居者の多くは、自力で電源ブレーカを復旧させているが、集合住宅やその他の住宅では、一般的に電源ブレーカが室内の高所に設置されている。そのため、入居者の手が届かない高さに電源ブレーカが設置されている場合には、電源ブレーカを復旧させるために入居者が椅子や台などの上に乗る必要があるため、足腰が弱い高齢者にとっては大変な危険が生じてしまうという問題があった。
【発明の開示】
【発明が解決しようとする課題】
【０００７】
本発明は、このような問題を解決するために成されたものであり、入居者自身に危険を生じさせることなく、電源ブレーカを復旧させることを目的とする。
【課題を解決するための手段】
【０００８】
上述した課題を解決するために、本発明の緊急通報システムでは、電源ブレーカが住戸への電気の供給を遮断すると、住戸に電気を供給するための電線に電流が流れなくなる。それを判定した場合に、住戸制御機は、管理人を呼び出すための呼出信号を生成して出力する。そして、管理室装置は、呼出信号を入力すると、住戸への電気の供給が電源ブレーカにより遮断されていることを報知するようにしている。
【発明の効果】
【０００９】
上記のように構成された本発明によれば、住戸への電気の供給が電源ブレーカにより遮断された場合に、管理室装置にてその旨が報知されるので、住戸を管理する管理人は、住戸への電気の供給が遮断されていることを把握することができる。従って、管理人は、電源ブレーカが落ちている住戸へ行って、入居者の代わりに電源ブレーカの復旧操作を行うことができる。これにより、入居者が電源ブレーカの復旧操作を自力で行わず、管理人が電源ブレーカの復旧操作を行うので、入居者自身に危険を生じさせることなく、電源ブレーカを復旧させることができる。
【発明を実施するための最良の形態】
【００１０】
以下、本発明の一実施形態を図面に基づいて説明する。本実施形態による緊急通報システムのブロック図を図１に示す。同図に示すように、本実施形態による緊急通報システムは、居室装置１、管理室装置１０を備えて構成されている。また、居室装置１は、電源ブレーカ２、検知装置３、住戸制御機４を備えて構成されている。また、住戸制御機４は、制御機用制御部５、制御機用インタフェース（以下、Ｉ／Ｆとする）部６、制御機用判定部７を備えて構成されている。また、管理室装置１０は、管理室用制御部１１、報知部１２、管理室用インタフェース（以下、Ｉ／Ｆとする）部（特許請求の範囲の入力部に該当）１３、管理室用判定部１４を備えて構成されている。
【００１１】
図１において、居室装置１は、高齢者が居住する集合住宅内の各住戸に設置されており、管理室装置１０に伝送線を介して接続されている。また、管理室装置１０は、管理人室などに設置されており、入居者からの呼び出しに応答するためのものである。ここで、管理室装置１０には、複数の居室装置１が接続されている。
【００１２】
電源ブレーカ２は、一般的に室内の高所に設置され、住戸に電気を供給するための電線に流すことができる最大の電流値を示す許容電流値以上の電流が電線に流れた場合に住戸への電気の供給を遮断する（電源ブレーカ２が落ちた状態となる）。ここで、電線とは、ＡＣ１００Ｖなどの電源線であり、電源ブレーカ２を介して住戸内の電気機器に接続されている。また、電源ブレーカ２には、住戸への電気の供給を復旧するための復旧スイッチが設けられている。住戸への電気の供給が電源ブレーカ２により遮断されている状態で復旧スイッチが操作された（すなわち、復旧操作を行った）場合には、住戸への電気の供給が再び行われる。
【００１３】
検知装置３は、電線に流れる電流を検知するものである。検知装置３は、所謂リレーで構成されており、電線に接続されている。電線に電流が流れると、電線に接続されたリレーは通電する。通電したリレーは、開いている状態にスイッチを維持する。一方、電線に電流が流れなくなると、電線に接続されたリレーは通電しなくなる。通電しなくなったリレーは、開いている状態のスイッチを閉じて自装置にて生成した接点信号（検知装置３に接続されている住戸制御機４を制御するための電気信号）を出力する。また、管理人が電源ブレーカ２の復旧操作を行った場合には、電線に電流が流れるようになるので、それに併せて、電線に接続されたリレーも通電するようになる。通電するようになったリレーは、閉じていた状態のスイッチを開いて接点信号の出力を停止する。なお、検知装置３は、電源ブレーカ２が落ちても動作することができるように電源ブレーカ２と別系統の電源が供給されている。また、本実施形態では、リレーが通電した場合に、開いている状態にスイッチを維持し、一方、リレーが通電しなくなった場合に、開いている状態のスイッチを閉じて接点信号を出力しているリレーを使用しているが、これに限定されない。例えば、リレーが通電した場合に、閉じている状態にスイッチを維持して接点信号を出力し、一方、リレーが通電しなくなった場合に、閉じている状態のスイッチを開いて接点信号の出力を停止するようにしても良い。
【００１４】
制御機用制御部５は、住戸制御機４の各構成要素を後述するように制御する。なお、住戸制御機４の各構成要素は、電源ブレーカ２が落ちても動作することができるように電源ブレーカ２と別系統の電源が供給されている。制御機用Ｉ／Ｆ部６は、住戸制御機４が検知装置３との間で通信するために検知装置３に接続されている。また、制御機用Ｉ／Ｆ部６は、住戸制御機４が管理室装置１０との間で通信するために管理室装置１０に接続されている。ここで、制御機用Ｉ／Ｆ部６は、検知装置３から出力された接点信号を入力する。
【００１５】
制御機用判定部７は、検知装置３が電線に流れる電流を検知した否か（すなわち、制御機用Ｉ／Ｆ部６が検知装置３から出力された接点信号を入力したか否か）を判定する。検知装置３が電線に流れる電流を検知した（すなわち、制御機用Ｉ／Ｆ部６が検知装置３から出力された接点信号を入力していない）場合には、電源ブレーカ２が落ちていないので、制御機用制御部５は呼出信号を生成しない。一方、検知装置３が電線に流れる電流を検知していない（すなわち、制御機用Ｉ／Ｆ部６が検知装置３から出力された接点信号を入力した）場合には、電源ブレーカ２が落ちているので、制御機用制御部５は、呼出信号を生成して外部へ出力する。
【００１６】
ここで、検知装置３から出力された接点信号を制御機用Ｉ／Ｆ部６が継続して入力していると制御機用判定部７にて判断した場合には、制御機用制御部５は、呼出信号の出力を継続する。また、呼出信号には、住戸制御機４を識別するための識別情報が含まれる。また、制御機用制御部５が呼出信号を出力している状態の場合に、検知装置３が電線に流れる電流を検知した（すなわち、検知装置３から接点信号を入力した制御機用Ｉ／Ｆ部６が接点信号を入力していない）と制御機用判定部７にて判断したときには、制御機用制御部５は、呼出信号の生成および出力を停止する。
【００１７】
管理室用制御部１１は、管理室装置１０の各構成要素を後述するように制御する。報知部１２は、スピーカや表示ディスプレイ、表示灯などにより構成されており、住戸への電気の供給が電源ブレーカ２により遮断されている場合には、スピーカから呼び出し音を出力させたり、表示ディスプレイに呼び出し表示を行わせたり、表示灯を点灯または点滅させたりして、電源ブレーカ２が落ちていることを報知する。管理室用Ｉ／Ｆ部１３は、管理室装置１０が住戸制御機４との間で通信するために住戸制御機４に接続されている。ここで、管理室用Ｉ／Ｆ部１３は、住戸制御機４から出力された呼出信号を入力する。
【００１８】
管理室用判定部１４は、管理室用Ｉ／Ｆ部１３が住戸制御機４から出力された呼出信号を入力したか否かを判定する。管理室用Ｉ／Ｆ部１３が住戸制御機４から出力された呼出信号を入力したと管理室用判定部１４にて判断した場合には、管理室用制御部１１は、報知部１２を動作させて、電源ブレーカ２が落ちていることを報知する。また、管理室用制御部１１は、呼出信号に含まれる住戸制御機４の識別情報を取得する。そして、管理室用制御部１１は、取得した識別情報から電源ブレーカ２が落ちている住戸を示す住戸番号などを報知部１２の表示ディスプレイなどに表示する。
【００１９】
また、管理室用Ｉ／Ｆ部１３が住戸制御機４から継続して出力された呼出信号を入力していると管理室用判定部１４にて判断した場合、管理室用制御部１１は、継続して報知部１２を動作させる。一方、管理室用Ｉ／Ｆ部１３が呼出信号を入力していないと管理室用判定部１４にて判断した場合には、管理室用制御部１１は、報知部１２の動作を停止させる。
【００２０】
次に、本実施形態による緊急通報システムの動作を説明する。図２は、本実施形態による緊急通報システムの動作を示すフローチャートである。同図に示すように、検知装置３は、電源ブレーカ２に接続されている電線に流れている電流を検知したか否かを判定する（ステップ２０１）。電源ブレーカ２に接続されている電線に流れている電流を検知装置３にて検知した場合には（ステップ２０１にてＹＥＳ）、電源ブレーカ２が落ちていないので、検知装置３は、ステップ２０１の処理に戻り、電源ブレーカ２に接続されている電線に流れている電流を検知しなくなるまで処理を継続する。一方、電源ブレーカ２に接続されている電線に流れている電流を検知装置３にて検知していない場合には（ステップ２０１にてＮＯ）、電源ブレーカが落ちているので、検知装置３は、接点信号を出力する（ステップ２０２）。
【００２１】
検知装置３は、接点信号を出力した後、電源ブレーカ２に接続されている電線に流れている電流を検知したか否かを判定する（ステップ２０３）。電源ブレーカ２に接続されている電線に流れている電流を検知装置３にて引き続き検知していない場合には（ステップ２０３にてＮＯ）、検知装置３は、ステップ２０２の処理に戻り、接点信号を継続して出力する。一方、電源ブレーカ２への復旧操作により電源ブレーカ２に接続されている電線に電流が流れ、その電流を検知装置３にて再び検知した場合には（ステップ２０３にてＹＥＳ）、検知装置３は、接点信号の出力を停止する（ステップ２０４）。
【００２２】
また、制御機用判定部７は、制御機用Ｉ／Ｆ部６が検知装置３から出力された接点信号を入力したか否かを判定する（ステップ２０５）。制御機用Ｉ／Ｆ部６が検知装置３から出力された接点信号を入力していないと制御機用判定部７にて判断した場合には（ステップ２０５にてＮＯ）、制御機用制御部５は、ステップ２０５の処理に戻り、制御機用Ｉ／Ｆ部６が検知装置３から出力された接点信号を入力するまで処理を継続する。一方、制御機用Ｉ／Ｆ部６が検知装置３から出力された接点信号を入力したと制御機用判定部７にて判断した場合には（ステップ２０５にてＹＥＳ）、制御機用制御部５は、自装置を識別するための識別情報を含む呼出信号を生成して出力する（ステップ２０６）。
【００２３】
制御機用制御部５が呼出信号を出力した後、制御機用判定部７は、制御機用Ｉ／Ｆ部６が検知装置３から出力された接点信号を入力しているか否かを継続して判定する（ステップ２０７）。制御機用Ｉ／Ｆ部６が検知装置３から出力された接点信号を継続して入力していると制御機用判定部７にて判断した場合には（ステップ２０７にてＹＥＳ）、制御機用制御部５は、ステップ２０６の処理に戻り、呼出信号を継続して出力する。一方、制御機用Ｉ／Ｆ部６が検知装置３から出力された接点信号を入力していないと制御機用判定部７にて判断した場合には（ステップ２０７にてＮＯ）、制御機用制御部５は、呼出信号の生成および出力を停止する（ステップ２０８）。
【００２４】
管理室用判定部１４は、管理室用Ｉ／Ｆ部１３が住戸制御機４から出力された呼出信号を入力したか否かを判定する（ステップ２０９）。管理室用Ｉ／Ｆ部１３が住戸制御機４から出力された呼出信号を入力していないと管理室用判定部１４にて判断した場合には（ステップ２０９にてＮＯ）、管理室用制御部１１は、ステップ２０９の処理に戻り、管理室用Ｉ／Ｆ部１３が住戸制御機４から出力された呼出信号を入力するまで処理を継続する。一方、管理室用Ｉ／Ｆ部１３が住戸制御機４から出力された呼出信号を入力したと管理室用判定部１４にて判断した場合には（ステップ２０９にてＹＥＳ）、管理室用制御部１１は、報知部１２を動作させ、電源ブレーカ２が落ちていることを報知する（ステップ２１０）。
【００２５】
そして、管理室用判定部１４は、管理室用Ｉ／Ｆ部１３が住戸制御機４から出力された呼出信号を入力しているか否かを判定する（ステップ２１１）。管理室用Ｉ／Ｆ部１３が住戸制御機４から出力された呼出信号を入力していると管理室用判定部１４には判断した場合には（ステップ２１１にてＹＥＳ）、管理室用制御部１１は、ステップ２１０の処理に戻り、報知部１２を継続して動作させ、住戸への電気の供給が遮断されていることを報知する。一方、管理室用Ｉ／Ｆ部１３が住戸制御機４から出力された呼出信号を入力していないと管理室用判定部１４にて判断した場合には（ステップ２１１にてＮＯ）、管理室用制御部１１は、報知部１２の動作を終了させ、報知を停止する（ステップ２１２）。
【００２６】
以上、詳しく説明したように、本実施形態による緊急通報システムは、電源ブレーカ２が落ちて住戸への電気の供給が遮断されると、検知装置３がそれを検知して接点信号を出力する。接点信号を入力した住戸制御機４は、呼出信号を生成して管理室装置１０へ出力する。そして、呼出信号を入力した管理室装置１０は、電源ブレーカ２が落ちていることを報知している。これにより、住戸への電気の供給が電源ブレーカ２により遮断された場合に、管理室装置１０にてその旨が報知されるので、住戸を管理する管理人は、住戸への電気の供給が遮断されていることを把握することができる。従って、管理人は、電源ブレーカ２が落ちている住戸へ行って、入居者の代わりに電源ブレーカ２の復旧操作を行うことができる。これにより、入居者が電源ブレーカ２の復旧操作を自力で行わず、管理人が電源ブレーカ２の復旧操作を行うので、入居者自身に危険を生じさせることなく、電源ブレーカ２を復旧させることができる。
【００２７】
なお、前述した実施形態では、管理室用Ｉ／Ｆ部１３が住戸制御機４から出力された呼出信号を入力していると管理室用判定部１４にて判断している間、管理室用制御部１１は、継続して報知部１２を動作させ、住戸への電気の供給が遮断されていることを報知しているが、これに限定されない。例えば、管理室用Ｉ／Ｆ部１３が住戸制御機４から出力された呼出信号を入力した時点で、管理室用制御部１１は報知部１２を動作させ、住戸への電気の供給が復旧したことを示す復旧信号を管理室用Ｉ／Ｆ部１３が入力するまで、管理室用制御部１１は、報知部１２を継続して動作させるようにしても良い。
【００２８】
具体的には、電源ブレーカ２に接続されている電線に流れている電流を検知していないと検知装置３にて判断した場合には、検知装置３は接点信号を出力する。接点信号を入力した住戸制御機４は、呼出信号を一度だけ出力する。管理室用Ｉ／Ｆ部１３が住戸制御機４から出力された呼出信号を入力したと管理室用判定部１４にて判断した場合には、管理室用制御部１１は、報知部２２を動作させ、住戸への電気の供給が遮断されていることを報知し始める。その後、管理室用Ｉ／Ｆ部１３が住戸制御機４から出力された呼出信号を入力しなくても、管理室用制御部１１は、継続して報知部１２を動作させ、住戸への電気の供給が遮断されていることを報知する。また、それに併せて管理室用判定部１４は、管理室用Ｉ／Ｆ部１３が住戸制御機４から出力された復旧信号を入力したか否かを判定する。
【００２９】
電源ブレーカ２に接続されている電線に流れている電流を検知したと検知装置３にて判断した場合には、検知装置３は、接点信号の出力を停止する。接点信号を入力しなくなった住戸制御機４は、復旧信号を生成して外部へ出力する。そして、管理室用Ｉ／Ｆ部１３が住戸制御機４から出力された復旧信号を入力したと管理室用判定部１４にて判断した場合には、管理室用制御部１１は、報知部１２の動作を終了させ、報知を停止する。
【００３０】
また、前述した実施形態では、電源ブレーカ２が落ちていると判断したすべての住戸に対して、管理室装置１０は、電源ブレーカ２が落ちていることを報知しているが、これに限定されない。例えば、入居者が長期不在のため電源ブレーカ２を意図的に落としている場合や電気工事によって住戸が停電している場合などにより、電源ブレーカ２に接続されている電線に電流が流れなくなるときには、管理室用制御部１１は、その住戸に対する報知を一時的に停止させたり、その住戸による電流の検知や呼出信号の出力を一時的に停止させたりするようにしても良い。
【００３１】
具体的には、本変形例の管理室装置１０は、図示しない記憶部を追加して構成されているものである。記憶部は、報知を除外する住戸を示す除外情報を予め記憶しておく。管理人は、報知を除外する住戸を図示しない操作部にて選択する。管理人が報知を除外する住戸を選択すると、管理室用制御部１１は、その住戸に対応する住戸制御機４の識別情報を除外情報として記憶部に記憶する。なお、居室装置１の動作については、前述の実施形態と同様の動作を行うため、説明を省略する。
【００３２】
電源ブレーカ２に接続されている電線に流れている電流を検知していないと検知装置３にて判断した場合には、検知装置３は接点信号を出力する。検知装置３から出力された接点信号を入力した住戸制御機４は、自装置の識別情報とともに呼出信号を出力する。管理室用Ｉ／Ｆ部１３が住戸制御機４から出力された呼出信号を入力したと管理室用判定部１４にて判断した場合には、管理室用制御部１１は、呼出信号とともに入力した住戸制御機４の識別情報を取得する。管理室用制御部１１は記憶部を参照し、取得した識別情報に対応する除外情報が記憶部に記憶されているか否かを判定する。
【００３３】
取得した識別情報に対応する除外情報が記憶部に記憶されていないと管理室用制御部１１にて判断した場合には、管理室用制御部１１は、報知部１２を動作させ、住戸への電気の供給が遮断されていることを報知する。一方、取得した識別情報に対応する除外情報が記憶部に記憶されていると管理室用制御部１１にて反転した場合には、管理室用制御部１１は、報知部１２を動作させずに住戸への電気の供給が遮断されていることを報知しない。
【００３４】
これにより、入居者が長期不在のため電源ブレーカ２を意図的に落としている場合や電気工事により住戸が停電している場合などでは、電源ブレーカ２が落ちていることが管理室装置１０にて報知されないので、管理人は、復旧すべき電源ブレーカ２を正確に把握することができる。
【００３５】
その他、緊急通報システムの居室装置１および管理室装置１０の構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【図面の簡単な説明】
【００３６】
【図１】本実施形態による緊急通報システムのブロック図である。
【図２】本実施形態による緊急通報システムの動作を示すフローチャートである。
【符号の説明】
【００３７】
１    居室装置
２    電源ブレーカ
３    検知装置
４    住戸制御機
５    制御機用制御部
６    制御機用インタフェース（Ｉ／Ｆ）部
７    制御機用判定部
１０  管理室装置
１１  管理室用制御部
１２  報知部
１３  管理室用インタフェース（Ｉ／Ｆ）部
１４  管理室用判定部
【図１】
2009205650.tif 000003
【図２】
2009205650.tif 000004